(57)【要約】【課題】  従前通り簡単に配管抱持部を開閉でき、容易に適切な位置に配管を支持固定できる構成でありながら、壁やその他の固定物に十分に接近させた位置にでも配管を支持固定できる極めて画期的な配管支持金具を提供すること。【解決手段】  取付箇所に取り付ける取付部１に螺子杆２を立設し、この螺子杆２に配管３を支承保持する配管抱持部４を高さ調整自在にして水平方向に突出状態に設けた配管支持金具において、前記配管抱持部４の左右に対向状態に前記螺子杆２を立設せず片側のみに前記螺子杆２を立設し、この螺子杆２に対して片持ち状態に前記配管抱持部４を水平突出状態に設け、この配管抱持部４の下部に前記螺子杆２に当接して配管抱持部４を片持ち状態にして水平突出状態に支承保持する支承保持部５を設けた配管支持金具。【選択図】      図１
2006029509.tif 000002
【特許請求の範囲】
【請求項１】
取付箇所に取り付ける取付部に螺子杆を立設し、この螺子杆に配管を支承保持する配管抱持部を高さ調整自在にして水平方向に突出状態に設けた配管支持金具において、前記配管抱持部の左右に対向状態に前記螺子杆を立設せず片側のみに前記螺子杆を立設し、この螺子杆に対して片持ち状態に前記配管抱持部を水平突出状態に設け、この配管抱持部の下部に前記螺子杆に当接して配管抱持部を片持ち状態にして水平突出状態に支承保持する支承保持部を設けたことを特徴とする配管支持金具。
【請求項２】
前記配管抱持部は、前記配管を支承する下側支承部に開閉自在に上側抱持部を設けた開閉抱持バンドに構成して、この下側支承部の端部を前記螺子杆に高さ調整自在に設けると共に、前記上側抱持部の端部も前記螺子杆に設け、少なくともこの下側支承部若しくは上側抱持部の端部のいずれか一方を螺子杆に対して係脱自在に設けて上方若しくは下方に開閉回動自在に構成したことを特徴とする請求項１記載の配管支持金具。
【請求項３】
前記螺子杆に上下螺動調整自在にナットを螺着し、このナットに若しくはナットに支承されるように前記配管抱持部の下側支承部の端部を前記螺子杆に設けると共に前記上側抱持部の端部を前記螺子杆に係脱自在に設けて下側支承部に対して上側抱持部を開閉自在に設け、前記ナットの上側若しくは下側に締付ナットを前記螺子杆に前記ナットと前記締付ナットとで螺着して少なくとも前記上側抱持部の係脱部を前記螺子杆に締め付け固定し得るように構成し、前記配管抱持部を前記螺子杆に対して高さ調整自在にして締め付け固定自在に設けたことを特徴とする請求項２記載の配管支持金具。
【請求項４】
前記支承保持部は前記配管抱持部の底部外面に板状体を前記螺子杆に向かって突出状態に付設し、この板状体の端部が前記螺子杆に当接するように構成したことを特徴とする請求項１〜３のいずれか１項に記載の配管支持金具。
【発明の詳細な説明】
【技術分野】
【０００１】
本発明は、配管を支持固定する配管支持金具に関するものである。
【背景技術】
【０００２】
従来の配管支持金具には様々な構造のものが市販されているが、以下のような構成のものが適切な位置に容易に支持固定できるとして好評である。
【０００３】
例えば、取付箇所に固定する板状の取付部の左右に所定間隔を置いて螺子杆を並設状態に立設し、この螺子杆間に配管を支承保持する配管抱持部を架設状態に設けた構成としている。
【０００４】
具体的には、下側支承部と上側抱持部とで配管を抱持するように構成した前記配管抱持部を高さ調整自在に左右の螺子杆にナットで締め付け固定する構成としているもので、各螺子杆に高さ調整用の受ナットを上下動調整自在に螺着し、前記下側支承部の左右端部に設けた取付孔に螺子杆を通してこの受ナットに支承させて左右の受ナット高さ位置に下側支承部を架設し、同様にして左右端部に設けた取付孔に螺子杆に通して上下抱持部の端部を夫々前記下端支承部の端部に重合して螺子杆間に架設し、夫々の螺子杆に締め付けナットを螺着して受ナットと締め付けナットとで締め付け挟持して架設固定するように構成している。
【０００５】
また、例えば上側抱持部の一方端部の取付孔は切欠孔として締め付けナットを緩めることで他方の端部を支点に水平開放回動して螺子杆から係脱自在に設け、配管の取り付け・取り外しに際して配管抱持部を開閉し得るように構成している。
【０００６】
従って、従来の配管支持金具は、このように配管抱持部は螺子杆間に高さ調整自在にして開閉自在に架設した構成で、配管抱持部の左右に螺子杆が立設された構成であった。
【０００７】
【特許文献１】特開２００２−１１５７７９号公報
【発明の開示】
【発明が解決しようとする課題】
【０００８】
しかしながら、従来の配管支持金具は、配管抱持部の左右に螺子杆が配され、そのため底部の板状の取付部もそれだけ幅広となっているため、配管に対して左右双方にスペースを存する構成である。
【０００９】
即ち、配管を壁やその他の固定物にできるだけ近づけて配管したい場合でも、配管抱持部の左右いずれにも螺子杆及びこれを立設する取付部が存するため、少なくともこのスペース分以上配管を近づけることはできない。
【００１０】
例えば、壁際に配管を沿わせたくても必ず一方側の取付部及び螺子杆が邪魔となり、壁や固定物に配管を近づけるには限界があった。即ち、少なくともこのスペース分は離して配管しなければならず、配管を十分に近づけることができなかった。
【００１１】
本発明は、このような現状に鑑み、このような問題を解決したもので、従前通り簡単に配管抱持部を開閉でき、容易に適切な位置に配管を支持固定できる構成でありながら、壁やその他の固定物に十分に接近させた位置にでも配管を支持固定できる極めて画期的な配管支持金具を提供することを目的としている。
【課題を解決するための手段】
【００１２】
添付図面を参照して本発明の要旨を説明する。
【００１３】
取付箇所に取り付ける取付部１に螺子杆２を立設し、この螺子杆２に配管３を支承保持する配管抱持部４を高さ調整自在にして水平方向に突出状態に設けた配管支持金具において、前記配管抱持部４の左右に対向状態に前記螺子杆２を立設せず片側のみに前記螺子杆２を立設し、この螺子杆２に対して片持ち状態に前記配管抱持部４を水平突出状態に設け、この配管抱持部４の下部に前記螺子杆２に当接して配管抱持部４を片持ち状態にして水平突出状態に支承保持する支承保持部５を設けたことを特徴とする配管支持金具に係るものである。
【００１４】
また、前記配管抱持部４は、前記配管３を支承する下側支承部４Ａに開閉自在に上側抱持部４Ｂを設けた開閉抱持バンドに構成して、この下側支承部４Ａの端部を前記螺子杆２に高さ調整自在に設けると共に、前記上側抱持部４Ｂの端部も前記螺子杆２に設け、少なくともこの下側支承部４Ａ若しくは上側抱持部４Ｂの端部のいずれか一方を螺子杆２に対して係脱自在に設けて上方若しくは下方に開閉回動自在に構成したことを特徴とする請求項１記載の配管支持金具に係るものである。
【００１５】
また、前記螺子杆２に上下螺動調整自在にナット６を螺着し、このナット６に若しくはナット６に支承されるように前記配管抱持部４の下側支承部４Ａの端部を前記螺子杆２に設けると共に前記上側抱持部４Ｂの端部を前記螺子杆２に係脱自在に設けて下側支承部４Ａに対して上側抱持部４Ｂを開閉自在に設け、前記ナット６の上側若しくは下側に締付ナット７を前記螺子杆２に前記ナット６と前記締付ナット７とで螺着して少なくとも前記上側抱持部４Ｂの係脱部４Ｃを前記螺子杆２に締め付け固定し得るように構成し、前記配管抱持部４を前記螺子杆２に対して高さ調整自在にして締め付け固定自在に設けたことを特徴とする請求項２記載の配管支持金具に係るものである。
【００１６】
また、前記支承保持部５は前記配管抱持部４の底部外面に板状体５Ａを前記螺子杆２に向かって突出状態に付設し、この板状体５Ａの端部が前記螺子杆２に当接するように構成したことを特徴とする請求項１〜３のいずれか１項に記載の配管支持金具に係るものである。
【発明の効果】
【００１７】
本発明は上述のように構成したから、従前通り簡単に高さ位置を調整できると共に配管抱持部を開閉でき、容易に適切な位置に配管を支持固定できる構成でありながら、壁やその他の固定物に十分に接近させた位置にでも配管を支持固定でき、しかも高さ調整自在にして片持ち状態に螺子杆に固定できる構成でありながら、支持強度も常に確保できる極めて画期的な配管支持金具となる。
【発明を実施するための最良の形態】
【００１８】
好適と考える本発明の実施形態（発明をどのように実施するか）を、図面に基づいて本発明の作用を示して簡単に説明する。
【００１９】
片側には螺子杆２並びにこの螺子杆を２を立設する取付部１を有するが反対側には螺子杆２も取付部１もなく、配管抱持部４は片側の螺子杆２に片持ち状態にして水平突出状態に設けられている。
【００２０】
従って、反対側にはスペースをとるような配管抱持部４の取付部材はないため、それだけこの配管抱持部４に支承保持される配管３を壁やその他の固定物に十分に近づけて配設（配管）することができることとなる。
【００２１】
しかも、配管抱持部４は螺子杆２に高さ調整自在に取り付けられる構成としても、常に高さ調整した配管抱持部４に設けた支承保持部５が螺子杆２に当接（わずかなクリアランスがあっても良く荷重がかかったときに螺子杆２に当接すれば良くその意味での当接若しくは近接）して配管抱持部４を片持ち支持することになるため、高さ調整可能でありながら反対側に螺子杆２はなくとも片側の螺子杆２に配管抱持部４を水平突出状態に片持ち支持され前記支承保持部５により常に十分な支承強度を確保できることとなる。
【実施例】
【００２２】
本発明の具体的な実施例について図面に基づいて説明する。
【００２３】
取付箇所に取り付ける板状の取付部１に取付ナット８を設け、この取付ナット８に螺着して一本の螺子杆２を立設し、この螺子杆２に配管３を支承保持する配管抱持バンドを採用した配管抱持部４を高さ調整自在にして水平方向に突出状態に設けた配管支持金具であって、前記配管抱持部４の左右に対向状態に前記螺子杆２を立設せず片側のみに一本前記螺子杆２を立設し、反対側には何ら螺子杆を設けず取付部１も反対側にまで突出しない長さに設定し、この一本の螺子杆２に対して片持ち状態に前記配管抱持部４を水平突出状態に設け、この配管抱持部４の下部に配管抱持部４の自重により前記螺子杆２に当接して配管抱持部４を片持ち状態にして水平突出状態に支承保持する支承保持部５を設けている。
【００２４】
前記配管抱持部４は、前記配管３を支承する下側支承部４Ａに開閉自在に上側抱持部４Ｂを設けた開閉抱持バンドに構成するが、下側支承部４Ａは、螺子杆２側に取付用水平端部を設けたＣ状の帯板状に構成し、この取付用水平端部には螺子杆２に通す取付孔４Ｄを設け、上側抱持部４Ｂは同様に螺子杆側に取付用水平端部を設けたＣ状の帯板状に構成し、この水平取付用端部に螺子杆２に係脱自在に係止する切欠孔４Ｃを設けており、この下側支承部４Ａと上側抱持部４Ｂの反対側端部同志を枢着し、この枢着部４Ｅを基点にして下側支承部４Ａに対して上側抱持部４Ｂを上方に開閉回動自在に設けている。
【００２５】
しかも本実施例では、この配管抱持部４が壁やその他の固定物に図２のように十分近づけても配管抱持部４を開閉できるように前記枢着部４Ｅを水平位置より上方に位置するように構成して上側抱持部４Ｂを真上近くまでしか開閉できずとも十分に配管抱持部４が開放して配管３を配管できるようにしている。
【００２６】
更に説明すると本実施例では前記螺子杆２に上下螺動調整自在にナット６を螺着し、前記配管抱持部４の下側支承部４Ａの水平取付用端部の取付孔４Ｄを螺子杆２に通してこの端部をナット６に支承すると共に、上側抱持部４Ｂの係脱部４Ｃを螺子杆２に係止して重合し、更に締付ナット７を前記螺子杆２に螺着して締め付け固定し得るように構成している。
【００２７】
従って、締付ナット７を緩めてナット６を上下螺動することで配管抱持部４を高さ調整でき、また上側抱持部４Ｂの係脱部４Ｃを係脱させて開閉回動できるように構成している。
【００２８】
また、前記支承保持部５は、前記配管抱持部４の底部外面に板状体５Ａを前記螺子杆２に向かって突出状態に付設し、この板状体５Ａの端部が前記螺子杆２に当接するように構成している。即ち、上側抱持部４Ｂの底部に板状体５Ａを溶接付設し、この板状体４Ａの螺子杆２側端部が配管抱持部４の自重により螺子杆２に当接するようにして、配管抱持部４を高さ調整しても常に配管抱持部４の自重により螺子杆２にこの板状体Ａの端部が当接することで螺子杆２対して片持ち状態で水平突出している配管抱持部４が常に水平突出状態に支持され、この支持強度もこの支承保持部５により十分に確保できることとなる。
【００２９】
従って、この支承保持部５とナット６，７の締付部との上下二点で支持され、ナット６，７を緩めることで配管抱持部４を螺子杆２に沿って高さ調整自在となる構成でありながら、配管抱持部４に自重（調整後手を放せば）あるいは配管３による荷重がかかれば支承保持部５の端部は螺子杆２に当接して支承強度が十分に確保できることとなる。
【００３０】
また本実施例では支承保持部５Ａは幅は幅広（下側支承部４Ａ幅と略同じで螺子杆２よりも幅広）とし、更にこの端部を折曲して折曲当接部５Ｂを形成し、板縁が当接するのではなく、折曲端部面（折曲当接部５Ｂの外面）が当接するようにしているため片持ち支承が一層安定し、また配管抱持部４の上下調整がスムーズとなるようにしている。
【００３１】
尚、本発明は、実施例に限られるものではなく、各構成要件の具体的構成は適宜設計し得るものである。
【図面の簡単な説明】
【００３２】
【図１】本実施例の斜視図である。
【図２】本実施例の壁際に寄せて配管する状態での使用状態を示す断面図である。
【符号の説明】
【００３３】
１  取付部
２  螺子杆
３  配管
４  配管抱持部
４Ａ  下側支承部
４Ｂ  上側抱持部
４Ｃ  係脱部
５  支承保持部
５Ａ  板状体
６  ナット
７  締付ナット
【図１】
2006029509.tif 000003
【図２】
2006029509.tif 000004